(57)【要約】【課題】  データを光物理レベルで秘匿化する。【解決手段】  レーザダイオード１２及び光強度変調器１４により、データＤ１を搬送する光信号を生成する。非線形群遅延エンコーダ１６が光信号の波形を変形する。光受信装置３０の非線形群遅延デコーダ３２が、光ファイバ伝送路２８からの光信号の、エンコーダ１６による波形劣化を復元する。フォトダイオード４０はデコーダ３２の出力信号光を電気信号に変換し、データ復調回路４２がデータを復調する。同じ共振器長ＬのＮ個のリング共振器と、共振器長Ｎ×Ｌのリング共振器を用意し、その内の１以上を、エンコーダ１６に配置し、残りをデコーダ３２に配置する。【選択図】  図１
2007150942.tif 000002
【特許請求の範囲】
【請求項１】
データを搬送する信号光を発生する信号光発生装置（１２，１４）、及び、当該信号光に非線形群遅延を与える非線形群遅延エンコーダ（１６，１６ａ〜１６ｅ）を具備する光送信装置（１０）と、
当該光送信装置から出力される信号光を受信する光受信装置であって、当該非線形群遅延エンコーダによる非線形群遅延を低減する非線形群遅延デコーダ（３２，３２ａ〜３２ｅ）、当該非線形群遅延デコーダの出力光信号を電気信号に変換する光電気変換器（４０）、及び、当該光電気変換器の出力電気信号から当該データを復調するデータ復調器（４２）を具備する光受信装置（３０）
とを具備するデータ伝送システム。
【請求項２】
第１の共振器長（Ｌ）のＮ個（Ｎは２以上の整数）の第１のリング共振器（２０，２２，２４，３６）、および、第１の共振器長（Ｌ）のＮ倍に等しい共振器長（Ｎ×Ｌ）を具備する第２のリング共振器（３８）であって当該Ｎ個の第１のリング共振器の合成非線形群遅延を補償する非線形群遅延を具備する第2のリング共振器の内の、１以上を当該非線形群遅延エンコーダに配置し、残りを当該非線形群遅延デコーダに配置することを特徴とする請求項１に記載のデータ伝送システム。
【請求項３】
当該第１の共振器長（Ｌａ）とは異なる第２の共振器長（Ｌｂ）を具備するＭ個（Ｍは２以上の整数）の第３のリング共振器（１５４，１５６，１６２）、および、当該第２の共振器長（Ｌｂ）のＭ倍に等しい共振器長（Ｍ×Ｌｂ）を具備する第４のリング共振器（１６４）の内の、１以上を当該非線形群遅延エンコーダに配置し、残りを当該非線形群遅延デコーダに配置することを特徴とする請求項２に記載のデータ伝送システム。
【発明の詳細な説明】
【技術分野】
【０００１】
本発明は、光物理レベルで秘匿性を高めたデータ伝送システムに関する。
【背景技術】
【０００２】
光物理レベルで秘匿性を高めるデータ伝送システムとして、光子数揺らぎを利用する方法（特許文献１）と、光波長拡散を利用する方法（特許文献２）が知られている。
【特許文献１】特開２００４−３０２２１０号公報
【特許文献２】特開２００３−２０９５３３号公報
【発明の開示】
【発明が解決しようとする課題】
【０００３】
しかし、特許文献１に記載の方法は、特殊な光源を必要とし、受信装置が複雑な構成で、高価なものになる。また、特許文献２に記載の方法は、複数の波長間を一定時間毎にホッピングして、データを光信号に変換することになり、送信装置の構成が複雑化する。受信装置にも、複数の波長に応じた波長フィルタを用意しなければならず、複雑な構成になる。
【０００４】
そこで、本発明は、簡易な構成でありながら、光物理レベルで高い秘匿性を実現できるデータ伝送システムを提示することを目的とする。
【課題を解決するための手段】
【０００５】
本発明に係るデータ伝送システムは、データを搬送する信号光を発生する信号光発生装置、及び、当該信号光に非線形群遅延を与える非線形群遅延エンコーダを具備する光送信装置と、当該光送信装置から出力される信号光を受信する光受信装置であって、当該非線形群遅延エンコーダによる非線形群遅延を補償する非線形群遅延デコーダ、当該非線形群遅延デコーダの出力光信号を電気信号に変換する光電気変換器、及び、当該光電気変換器の出力電気信号から当該データを復調するデータ復調器を具備する光受信装置とを具備することを特徴とする。
【０００６】
好ましくは、第１の共振器長のＮ個（Ｎは２以上の整数）の第１のリング共振器、および、第１の共振器長のＮ倍に等しい共振器長を具備する第２のリング共振器の内の、１以上を当該非線形群遅延エンコーダに配置し、残りを当該非線形群遅延デコーダに配置する。当該第2のリング共振器は、当該Ｎ個の第１のリング共振器の合成非線形群遅延を補償する非線形群遅延を具備する。
【発明の効果】
【０００７】
本発明によれば、光信号に非線形群遅延を与えることで、高い秘匿能力を得ることができる。リング共振器を使うことにより、低損失でデータを隠蔽できると共に、正規ユーザは簡単にデータを復元できる。
【発明を実施するための最良の形態】
【０００８】
以下、図面を参照して、本発明の実施例を詳細に説明する。
【０００９】
図１は、本発明の一実施例の概略構成ブロック図を示す。光送信装置１０は、光源であるレーザダイオード１２を具備する。光強度変調器１４は、レーザ１２からのレーザ光の強度をデータＤ１に従って変調し、データＤ１を搬送するパルス信号光を非線形群遅延エンコーダ１６に出力する。
【００１０】
非線形群遅延エンコーダ１６は、強度変調器１４から出力される光信号に、そのバンド内で周期的に変動する非線形群遅延を与えて、光信号のパルス波形を劣化させた歪み信号光を生成する。この歪み信号光が、光送信装置１０の出力信号光として光ファイバ伝送路２８に出力される。
【００１１】
非線形群遅延エンコーダ１６は、強度変調器１４の出力と光ファイバ伝送路２８を接続する接続導波路１８と、接続導波路１８に沿ってシリアルに配置される共振器長Ｌの３つのリング共振器２０，２２，２４とからなる。
【００１２】
各リング共振器２０，２２，２４は、リング導波路２０ａ，２２ａ，２４ａと、リング導波路２０ａ，２２ａ，２４ａを接続導波路１８に光結合する光結合器２０ｂ，２２ｂ，２４ｂと、リング導波路２０ａ，２２ａ，２４ａ上に配置され、リング導波路２０ａ、２２ａ，２４ａを伝搬する光の位相を所定量だけシフトする位相シフタ２０ｃ，２２ｃ，２４ｃからなる。本実施例では、リング共振器２０，２２，２４の共振器長は等しくＬであり、リング共振器２０，２２，２４の非線形群遅延特性は、共振波長が互いに異なることを除いて、同じである。非線形群遅延エンコーダ１６の群遅延特性の詳細は、後述する。
【００１３】
光ファイバ伝送路２８を伝送した信号光は、光受信装置３０の非線形群遅延デコーダ３２に入射する。非線形群遅延デコーダ３２は、光送信装置１０の非線形群遅延デコーダ１６による非線形群遅延を解消する装置であり、非線形群遅延デコーダ１６の非線形群遅延特性とはほぼ逆の非線形群遅延特性を具備する。
【００１４】
非線形群遅延デコーダ３２は、光ファイバ伝送路２８とフォトダイオード４０とを接続する接続導波路３４と、当該接続導波路３４に沿ってシリアルに配置される２つのリング共振器３６，３８からなる。リング共振器３６は、リング導波路２０ａ，２２ａ，２４ａと同じ光路長のリング導波路３６ａと、リング導波路３６ａを接続導波路３４に光結合する光結合器３６ｂと、リング導波路３６ａ上に配置され、リング導波路３６ａを伝搬する光の位相を所定量だけシフトする位相シフタ３６ｃからなる。リング共振器３６の共振器長はＬである。リング共振器３６の非線形群遅延特性は、共振波長がリング共振器２０，２２，２４の何れとも異なることを除いて、リング共振器２０，２２，２４の非線形群遅延と理論的には同じである。
【００１５】
また、リング共振器３８は、リング導波路２０ａ，２２ａ，２４ａのほぼ４倍の光路長のリング導波路３８ａと、リング導波路３８ａを接続導波路３４に光結合する光結合器３８ｂと、リング導波路３８ａ上に配置され、リング導波路３８ａを伝搬する光の位相を所定量だけシフトする位相シフタ３８ｃとからなる。リング共振器３８の共振器長は４Ｌである。
【００１６】
非線形群遅延デコーダ３２の群遅延特性については、非線形群遅延エンコーダ１６と一緒に後述する。
【００１７】
非線形群遅延デコーダ３２は、非線形群遅延デコーダ１６による歪みを、データ復調可能な程に解消する。非線形群遅延デコーダ３２は、光ファイバ伝送路２８における群遅延による波形歪みを同時に解消する群遅延特性を具備しても良い。
【００１８】
フォトダイオード４０は、非線形群遅延デコーダ３２の出力光信号を電気信号に変換する。データ復調器４２は、フォトダイオード４０の出力電気信号からデータＤ１を復調する。
【００１９】
光信号のバンド内で周期的に変動する群遅延特性は、単一の又はシリアルに接続された複数のリング共振器により実現できる。
【００２０】
また、光ファイバ伝送路２８上での光信号のリークによるデータ漏洩を避けるために、光ファイバ伝送路２８上では、波形の歪みが大きいのが望ましい。かつまた、非線形群遅延デコーダ３２の出力段階では、波形歪みがない又は少ないのが望ましい。これらの要請を満たすために、本実施例では、基本的に、リング共振器長の異なる２種類のリング共振器を組み合わせて使用する。
【００２１】
先ず、リング共振器の構造と特性を説明する。図２は、単一のリング共振器の平面図を示し、図３は、図２のＡ−Ａ線から見た断面図を示す。
【００２２】
基板５０上にマッハツェンダ干渉計５２を配置してある。マッハツェンダ干渉計５２は、２入力・２出力の２つの光合分波器５４，５６と、光合分波器５４の２つの出力ポートと、光合分波器５６の２つの入力ポート間をそれぞれ接続する２つのアーム５８，６０を具備する。光合分波器５４の一方の入力ポートに入力導波路６２が接続し、光合分波器５６の一方の出力ポートに出力導波路６４が接続する。また、光合分波器５６の他方の出力ポートが、導波路６６を介して光合分波器５４の他方の入力ポートに接続する。
【００２３】
入力導波路６２、アーム６０及び出力導波路６４からなる部分が、エンコーダ１６の接続導波路１８及びデコーダ３２の接続導波路３４に対応し、導波路６６及びアーム５８からなる部分が、リング導波路２０ａ，２２ａ，２４ａ，３６ａ，３８ａに対応する。本実施例では、リング導波路２０ａ，２２ａ，２４ａ，３６ａ，３８ａは、接続導波路１８，３４に光合分波器５４，５６の２箇所で光結合する。
【００２４】
アーム６０上に位相シフタとしての薄膜ヒータ６８を配置し、電圧制御器７０が薄膜ヒータ６８に電圧を印加する。薄膜ヒータ６８によりアーム６０の光路長を調節し、その結果として、導波路６２，６４と導波路６６との間の光結合率、即ち、接続導波路１８，３４とリング導波路２０ａ，２２ａ，２４ａ，３６ａ，３８ａとの間の光結合率を調節できる。マッハツェンダ干渉計５２が、光結合器２０ｂ，２２ｂ，２４ｂ，３６ｂ，３８ｂに対応する。
【００２５】
また、導波路６６上には、位相シフタ２０ｃ，２２ｃ，２４ｃ，３６ｃ，３８ｃに対応する薄膜ヒータ７２を配置してあり、電圧制御器７４が、薄膜ヒータ７２に電圧を印加する。薄膜ヒータ７２により、導波路６６、即ちリング導波路２０ａ，２２ａ，２４ａ，３６ａ，３８ａを伝搬する光の光位相を調節できる。
【００２６】
図２及び図３に示すようなリング共振器の群遅延特性は、下記式
τ（ω）＝Ｔ（１−Ｋ２）／｛１＋Ｋ２−２Ｋｃｏｓ（ωＴ−φ）｝
但し、
Ｋ＝（１−κ）１／２
κ＝０．５＋０．５ｃｏｓθ
で与えられる。ωは光の角周波数、Ｔは上述のリング導波路を信号光が１周するのに要する時間、φは薄膜ヒータ７２による位相シフト量（相対値）である。Ｔは導波路６６の光路長、即ち、リング導波路２０ａ，２２ａ，２４ａ，３６ａ，３８ａの光路長に依存する。光速をｃとすると、波長λ＝２πｃ／ωである。自由スペクトル領域ＦＳＲ（Free Spectral Region）は１／Ｔで表される。θは薄膜ヒータ６８による位相シフト量（相対値）である。κはマッハツェンダ干渉計５２の結合率を示す。薄膜ヒータ６８による位相シフト量θを調整することで、結合率κを０から１００％の間で選択できる。
【００２７】
図４は、単一のリング共振器の群遅延特性であって、結合率κに対する変化例を示す。図５は、単一のリング共振器の群遅延特性であって、位相シフト量φに対する変化例を示す。図４及び図５で、横軸は、相対波長を示し、縦軸は、相対群遅延を示す。リング共振器の群遅延特性は、周知の通り、波長に対して群遅延が周期的に変動する。その周期は、リング導波路２０ａ，２２ａ，２４ａ，３６ａ，３８ａの光路長で決定され、ピーク波長は位相シフタ２０ｃ，２２ｃ，２４ｃ，３６ｃ，３８ｃ位相シフト量φにより決定され、変動の振幅は、結合率κにより決定される。
【００２８】
図４から、結合率κを大きくすると、群遅延特性が、正弦波形に近づく。また、結合率κが小さくなると、上に凸の部分が急峻になり、群遅延の極小値と極大値の差が大きくなる。図５から、位相シフト量により、共振波長を変更できることが分かる。φ＝２πの群遅延特性は、φ＝０の群遅延特性と一致する。図４及び図５から、群遅延の高低差と共振波長を任意に制御できることが分かる。
【００２９】
複数のリング共振器をシリアルに接続した場合、全体の群遅延特性は、個々のリング共振器の群遅延特性の和になる。共振器長が同じＬで、共振波長を２π／ＮだけずらしたＮ個（Ｎは２以上の整数）のリング共振器をシリアルに配置して得られる群遅延特性は、基本的に、共振器長がＮ×Ｌの１つのリング共振器の群遅延特性に近似させることが可能である。従って、前者の合成群遅延特性に対し、後者の群遅延特性をπだけシフトして加算することで、群遅延をほぼ解消できる。但し、リング共振器で実現される群遅延特性は、上に凸の部分と下に凸の部分で形状が僅かに異なるので、多少のリップルが残る。図１に示す実施例では、Ｎ＝４である。
【００３０】
図１に示す実施例では、例えば、リング共振器２０，２２，２４，３６の光結合器２０ｂ，２２ｂ，２４ｂ，３６ｂの結合率κを０．６、位相シフタ２０ｃ，２２ｃ，２４ｃ，３６ｃの位相シフト量φをそれぞれ０，π／２，π、３π／２とする。図６（Ａ）は、リング共振器２０，２２，２４の合成群遅延特性８０と、リング共振器３６の群遅延特性８２を示す。横軸は相対波長を示し、縦軸は、相対遅延遅延を示す。図６（Ｂ）は、群遅延特性８０，８２を合成した群遅延特性を示す。リング共振器２０，２２，２４，３６のパラメータが、位相シフト量φを除いて同じであり、且つ、位相シフト量φがπ／２（＝２π／４）ずつ異なるので、合成群遅延特性は、単一リング共振器の場合に比べ周期が１／４になった、ほぼ正弦波形に近い変化を示す。換言すると、合成群遅延特性が正弦波形に近づくように、結合率κを調節する。
【００３１】
これに対し、リング共振器３８の結合率κを０．９７５で、位相シフト量φをπとする。図６（Ｃ）は、リング共振器３８の群遅延特性８６を示す。横軸は相対波長を示し、縦軸は、相対遅延遅延を示す。結合率κを大きくすることで、群遅延特性８６は正弦波形に近づく。また、位相シフト量φをπにすることで、図６（Ｂ）に示す合成群遅延特性８４を反転した特性に近い群遅延特性を得ることができる。図６（Ｄ）は、図６（Ｂ）に示すリング共振器２０，２２，２４，３６による合成群遅延特性８４と、図６（Ｃ）に示すリング共振器３８による群遅延特性８６を合成した結果の群遅延特性８８を示す。先に述べたように、リング共振器で実現される群遅延特性は、上に凸の部分と下に凸の部分で形状が僅かに異なるので、この例では、ピーク・ツー・ピークで８０ｐｓのリップルが残る。この程度のリップルであれば、データを復調するのに支障ない。
【００３２】
理論的な関係を簡単に説明する。単一のリング共振器の群遅延特性は、フーリエ級数で展開可能であり、三角関数の合成で表現され得る。リング共振器２０の群遅延特性をＦ１（ω）とすると、
Ｆ１（ω）＝ΣｋＥｋｃｏｓ（ｋωＴ＋ｋφ１）
但し、Σｋは、ｋ＝１，２，３，・・・の累積加算を示す。
【００３３】
同様に、リング共振器２２，２４，３６の群遅延特性Ｆ２（ω）、Ｆ３（ω）、Ｆ４（ω）は、
Ｆ２（ω）＝ΣｋＥｋｃｏｓ（ｋωＴ＋ｋφ２）
Ｆ３（ω）＝ΣｋＥｋｃｏｓ（ｋωＴ＋ｋφ３）
Ｆ４（ω）＝ΣｋＥｋｃｏｓ（ｋωＴ＋ｋφ４）
である。振幅が等しいので、各群遅延特性Ｆ１（ω）、Ｆ２（ω）、Ｆ３（ω）、Ｆ４（ω）の係数Ｅｋは等しい。
【００３４】
これらの式に、φ１＝０、φ２＝π／２、φ３＝π、φ４＝３π／２を代入する。これらは、２πを同じ共振器長のリング共振器２０，２２，２４，３６の数Ｎ（ここでは、４）で割った値の整数倍である。
【００３５】
Ｆ１（ω）、Ｆ２（ω）、Ｆ３（ω）、Ｆ４（ω）の和では、ｃｏｓ（ （４ｎ＋１）ωＴ）、ｃｏｓ（（４ｎ＋２）ωＴ）及びｃｏｓ（（４ｎ＋３）ωＴ）の成分は、打ち消しあって、消去される。但し、ｎは整数である。従って、
Ｆ１（ω）＋Ｆ２（ω）＋Ｆ３（ω）＋Ｆ４（ω）
＝Σｋ４Ｅ４ｋｃｏｓ（４ｋωＴ）
となる。残留するリップル成分は主として、４Ｅ４ｃｏｓ（４ωＴ）からなる。この成分の周期は、単一のリング共振器の周期Ｔの１／Ｎ倍（ここでは、１／４倍）となる。
【００３６】
これに対して、リング共振器３８の共振器長をＮ×Ｌ（ここでは、４Ｌ）とすることで、リング共振器３８のＦＳＲは、リング共振器２０，２２，２４，３６のそれの１／Ｎになる。４Ｅ４ｃｏｓ（４ωＴ）を打ち消すために、位相シフタ３８ｃによる位相シフト量をπ（ｒａｄ）に設定し、振幅が４Ｅ４と一致するように光結合器３８ｂの結合率κを調節する。図６（Ｃ）は、このようにして得られたリング共振器３８の群遅延特性８６を示す。
【００３７】
図６（Ｄ）は、リング共振器２０，２２，２４，３６による合成群遅延特性８４（図６（Ｂ））をリング共振器３８の群遅延特性８６（図６（Ｃ））で相殺した結果、残留する群遅延特性８８を示す。残留した群遅延特性８８のリップルは、ピーク・ツー・ピークで８０ｐｓ程度である。
【００３８】
１０Ｇｂｉｔ／ｓのＮＲＺ信号光の場合、エンコーダ１６及びデコーダ３２の影響を調べた。エンコーダ１６及びデコーダ３２を設けない場合で、ビットエラーレート（ＢＥＲ）が１０−９となる受信光強度を基準値とし、同じＢＥＲを得るために要した光強度の倍率（ｄＢ）をパワーペナルティと定義する。図７は、リップル対パワーペナルティの計算結果を示す。横軸は、ピーク・ツー・ピークのリップル（ｐｓ）を示し、縦軸は、パワーペナルティを示す。残留するリップルが２６０ｐｓの場合、即ち、受信装置３０のデコーダ３２がリング共振器３６のみからなる場合には、パワーペナルティは２．７ｄＢであり、リップルが８０ｐｓの場合、即ち、デコーダ３２が、リング共振器３４と同３６からなる場合には、パワーペナルティは０．２ｄＢであった。これにより、デコーダ３２により、良好な信号を受信できることが分かる。
【００３９】
リング共振器３８は、共振器長Ｌのシリアルに接続された４つのリング共振器で置換できるが、そうすると、各リング共振器の結合率κ及び位相シフト量φの調節が面倒になり、制御も煩雑となる。
【００４０】
共振器長ＬのＮ個のリング共振器の内の何個を送信側に配置するかは、適宜に決定でき、また、共振器長Ｎ×Ｌのリング共振器を送信側と受信側のどちらに配置するかも、適宜に決定できる。
【００４１】
リング共振器の配置の変更例を簡単に説明する。図８は、第１の変更配置例を示す。送信側のエンコーダ１６ａに共振器長Ｌの２つのリング共振器１１０，１１２を配置し、受信側のデコーダ３２ａに共振器長Ｌの２個のリング共振器１１４，１１６と共振器長４Ｌのリング共振器１１８を配置する。
【００４２】
図９は、第２の変更配置例を示す。図９では、送信側のエンコーダ１６ｂに共振器長Ｌの１つのリング共振器１２０を配置し、受信側のデコーダ３２ｂに共振器長Ｌの３個のリング共振器１２２，１２４，１２６と共振器長４Ｌのリング共振器１２８を配置する。
【００４３】
図１０は、第３の変更配置例を示す。図１０では、送信側のエンコーダ１６ｃに共振器長Ｌの３個のリング共振器１３０，１３２，１３４と共振器長４Ｌのリング共振器１３６を配置し、受信側のデコーダ３２ｃに共振器長Ｌの１つのリング共振器１３８を配置する。
【００４４】
図１０に示す変更配置例は、また、図１１に示す変更配置例のように変更できる。即ち、送信側のエンコーダ１６ｄに共振器長Ｌの２個のリング共振器１４０，１４２、共振器長４Ｌのリング共振器１４４、及び共振器長Ｌのリング共振器１４６をシリアルに配置し、受信側のデコーダ３２ｄに共振器長Ｌの１つのリング共振器１４８を配置する。複数のリング共振器１４０〜１４８はシリアルに接続され、各非線形特性が線形に加算されるので、共振器長４Ｌのリング共振器１４４は、エンコーダのどこに（例えば先頭に）配置されても良い。
【００４５】
共振器長Ｌの４つのリング共振器と共振器長４Ｌの１つのリング共振器とを組み合わせて利用する実施例を説明したが、上述したように、一般的には、共振器長ＬのＮ個のリング共振器と、共振器長Ｎ×Ｌの１つのリング共振器とを組み合わせることで、同様の作用効果を得ることができる。Ｎは、原理的には２以上でよいが、データの秘匿性からは、Ｎは、３以上が好ましい。
【００４６】
更には、共振器長Ｌが異なるリング共振器を組み合わせてもよい。図１２は、その変更配置例を示す。送信側のエンコーダ１６ｅに共振器長Ｌａの２個のリング共振器１５０，１５２、共振器長Ｌｂの２個のリング共振器１５４，１５６をシリアルに配置し、受信側のデコーダ３２ｅに、共振器長Ｌａの１つのリング共振器１５８、共振器長３Ｌａのリング共振器１６０、共振器長Ｌｂのリング共振器１６２及び共振器長３Ｌｂのリング共振器１６４をシリアルに配置する。エンコーダ１６ｅ内で、リング共振器１５０，１５２，１５４，１５６の並び順は、限定されない。同様に、デコーダ３２ｅ内で、リング共振器１５８，１６０，１６２，１６４の並び順も、限定されない。
【００４７】
リング共振器１６０は、リング共振器１５０，１５２，１５８による群遅延を補償し、リング共振器１６４は、リング共振器１５４，１５６，１６２による群遅延を補償する。
【００４８】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４９】
【図１】本発明の一実施例の概略構成ブロック図である。
【図２】単一のリング共振器の平面図を示す。
【図３】図２のＡ−Ａ線から見た断面図を示す。
【図４】単一のリング共振器の群遅延特性であって、結合率κに対する変化例を示す。
【図５】単一のリング共振器の群遅延特性であって、位相シフト量φに対する変化例を示す。
【図６】本実施例の各部の群遅延特性を示す図である。
【図７】リップルとパワーペナルティの関係を示すグラフである。
【図８】リング共振器の変更配置例である。
【図９】リング共振器の変更配置例である。
【図１０】リング共振器の変更配置例である。
【図１１】リング共振器の変更配置例である。
【図１２】リング共振器の変更配置例である。
【符号の説明】
【００５０】
１０：光送信装置
１２：レーザダイオード
１４：光強度変調器
１６，１６ａ，１６ｂ，１６ｃ，１６ｄ，１６ｅ：非線形群遅延エンコーダ
１８：接続導波路
２０，２２，２４：リング共振器
２０ａ，２２ａ，２４ａ：リング導波路
２０ｂ，２２ｂ，２４ｂ：光結合器
２０ｃ，２２ｃ，２４ｃ：位相シフタ
２８：光ファイバ伝送路
３０：光受信装置
３２，３２ａ，３２ｂ，３２ｃ，３２ｄ，３２ｅ：非線形群遅延デコーダ
３４：接続導波路
３６，３８：リング共振器
３６ａ，３８ａ：リング導波路
３６ｂ，３８ｂ：光結合器
３６ｃ，３８ｃ：位相シフタ
４０：フォトダイオード
４２：データ復調器
５０：基板
５２：マッハツェンダ干渉計
５４，５６：光合分波器
５８，６０：アーム
６２：入力導波路
６４：出力導波路
６６：導波路
６８：薄膜ヒータ
７０：電圧制御器
７２：薄膜ヒータ
７４：電圧制御器
１１０，１１２，１１４，１１６，１１８：リング共振器
１２０，１２２，１２４，１２６，１２８：リング共振器
１３０，１３２，１３４，１３６，１３８：リング共振器
１４０，１４２，１４４，１４６，１４８：リング共振器
１５０，１５２，１５４，１５６，１５８，１６０，１６２，１６４：リング共振器
【図１】
2007150942.tif 000003
【図２】
2007150942.tif 000004
【図３】
2007150942.tif 000005
【図４】
2007150942.tif 000006
【図５】
2007150942.tif 000007
【図６】
2007150942.tif 000008
【図７】
2007150942.tif 000009
【図８】
2007150942.tif 000010
【図９】
2007150942.tif 000011
【図１０】
2007150942.tif 000012
【図１１】
2007150942.tif 000013
【図１２】
2007150942.tif 000014